(57)【特許請求の範囲】
【請求項１】
カメラ（１）を脱着できるように装着して充電する充電台（２）を有し、この充電台（２）は、カメラ（１）を雲台に装着するネジ孔（７）に挿入される位置決ボス（５）を突出して設けており、
この位置決ボス（５）は全体の形状を先細り状に形成すると共に、外周面に複数のガイド凸条（６）を縦方向に延長して設けており、ガイド凸条（６）の外側面をネジ孔（７）の内面に当接させるようにしてなるカメラの充電装置。
【請求項２】
充電台（２）にカメラ（１）の底面に設けている端子に連結されるコネクター（８）を設けており、コネクター（８）と位置決ボス（５）を連結してカメラ（１）を充電台（２）に装着する請求項１に記載されるカメラの充電装置。
【請求項３】
充電台（２）にカメラ（１）の底部を嵌入する嵌入凹部（４）を設けており、位置決ボス（５）を嵌入凹部（４）の底に配設している請求項１に記載されるカメラの充電装置。
【請求項４】
嵌入凹部（４）の底に位置決ボス（５）と、カメラ（１）の底面に設けている端子に連結されるコネクター（８）とを設けている請求項３に記載されるカメラの充電装置。
【請求項５】
一対のガイド凸条（６）を位置決ボス（５）の対向する位置に設けている請求項１に記載されるカメラの充電装置。
【発明の詳細な説明】
【０００１】
【発明の属する技術分野】
本発明は、デジタルカメラ等のカメラを脱着できるように装着して、内蔵している二次電池を充電する充電装置に関する。
【０００２】
【従来の技術】
デジタルカメラの消費電力は、通常のフィルムを使用するカメラより大きい。消費電力が大きいカメラは、二次電池を使用して経済的に使用できる。繰り返し充電して使用できるからである。二次電池は、カメラから取り出して充電するこもできるが、カメラに装着した状態で充電して便利に使用できる。このことを実現する充電器は、カメラを脱着できるように装着する充電台を備える。充電台にカメラの端子を接続するコネクターを設けると、カメラを装着して二次電池を簡単に充電できる。このことを実現するには、カメラを充電台の正確な位置に装着する必要がある。充電台にカメラを入れる凹部を設ける構造は、カメラを正確な位置に装着するのに好都合である。ただ、この構造でカメラを正確な位置に連結するには、凹部とカメラを遊びが少ない状態、いいかえるとカメラと凹部のクリアランスを小さくする必要がある。ただ、この構造は、カメラを簡単かつ容易に、しかもスムーズに脱着するのを難しくする。クリアランスを少なくすると、カメラを凹部にスムーズに挿入できなくなるからである。
【０００３】
【発明が解決しようとする課題】
カメラは、三脚の雲台に連結するためにネジ孔を設けている。雲台の止ネジがネジ孔にねじ込まれて、カメラは雲台にしっかりと固定される。三脚の雲台と同じ構造で、カメラを充電台に連結することはできる。ただ、この構造でカメラを充電台に連結すると、簡単に脱着できなくなる。脱着の度に、止ネジをねじ込み、または緩める必要があるからである。充電台は、三脚の雲台のように、かならずしもカメラをしっかりと固定する必要はない。充電中にカメラが多少は動いても、カメラの端子と充電台のコネクターが接続されるかぎり充電できるからである。
【０００４】
本発明者は、カメラのネジ孔を利用して、カメラを充電台に簡単に装着するために、カメラのネジ孔に挿入される位置決ボスを設けた充電台を開発した。位置決ボスは、ネジ孔に簡単に挿入できるように、ネジ孔よりも細くした。この充電台は、位置決ボスをネジ孔に挿入してカメラを位置決めできる。ただ、この構造は、カメラを充電台にスムーズに脱着することと、正確な位置に装着することが互いに相反するする特性となり、スムーズに正確な位置に装着できない。それは、カメラを入れる凹部と同じように、カメラを正確な位置に装着するには、位置決ボスをネジ孔の内形に等しい太さにする必要があるからである。太い位置決ボスはスムーズにネジ孔に挿入できなくなる。位置決ボスを細くすれば、スムーズにネジ孔に入れることができる。ただ、細い位置決ボスでは、カメラを正確な位置に装着できない。
【０００５】
本発明は、この欠点を解決するためにさらに改良したもので、本発明の重要な目的は、カメラを簡単かつ容易に、しかもスムーズに充電台に脱着できるカメラの充電装置を提供することにある。
【０００６】
【課題を解決するための手段】
本発明のカメラの充電装置は、カメラ１を脱着できるように装着して充電する充電台２を有する。この充電台２は、カメラ１を雲台に装着するネジ孔７に挿入される位置決ボス５を突出して設けている。位置決ボス５は、全体の形状を先細り状に形成すると共に、外周面に複数のガイド凸条６を縦方向に延長して設けて、ガイド凸条６の外側面をネジ孔７の内面に当接させるようにしている。
【０００７】
充電台２は、カメラ１の底面に設けている端子に連結されるコネクター８を設けて、コネクター８と位置決ボス５を連結してカメラ１を充電台２に装着することもできる。この充電台２は、コネクター８と位置決ボス５とで、より確実にカメラ１を定位置に装着できる。充電台２は、カメラ１の底部を嵌入する嵌入凹部４を設けて、位置決ボス５を嵌入凹部４の底に配設することができる。この充電台２は、嵌入凹部４にカメラ１の下部を嵌入して、カメラを定位置に正確に装着できる。さらに、充電台２は、嵌入凹部４の底に、位置決ボス５とコネクター８の両方を設けることができる。
【０００８】
位置決ボス５は、一対のガイド凸条６を対向する位置に設けることができる。この位置決ボス５は、ネジ孔７に挿入された状態で、対向する位置にある一対のガイド凸条６をネジ孔７に当接させて正確に位置決めできる。
【０００９】
【発明の実施の形態】
以下、本発明の実施例を図面に基づいて説明する。ただし、以下に示す実施例は、本発明の技術思想を具体化するためのカメラの充電装置を例示するものであって、本発明は充電装置を以下のものに特定しない。
【００１０】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図１ないし図５に示すカメラの充電装置は、カメラを脱着できるように装着して充電する充電台２を設けている。図１と図２は、カメラを装着しない状態を示し、図３ないし図５は、カメラ１を装着する状態を示している。これ等の図に示す充電装置は、ケース３を充電台２として、ケース３の内部に充電回路（図示せず）を内蔵している。充電台２は、カメラ１の下部を入れる嵌入凹部４を上面に有する。嵌入凹部４は、底面を水平面とし、周囲をほぼ垂直面として、カメラ１を垂直に立てた姿勢で装着する。嵌入凹部４は、安定してカメラ１を立てて保持できるように、カメラ１の下部の外形にほぼ等しい筒状に成形される。図４と図５に示す嵌入凹部４は、内周面を完全な垂直面とはしない。カメラ１をスムーズに挿入するために、開口部を底面よりもわずかに大きくして、内周面をわずかに傾斜させている。図の充電台２は、ケース３に嵌入凹部４を設けてカメラ１を定位置に装着する。ただ、充電台は、ケースの上面に複数のガイド凸部を設けて、カメラを保持することもできる。この充電台は、複数のガイド凸部をカメラの周囲に設け、ガイド凸部の内側にカメラを装着する。嵌入凹部４やガイド凸部でカメラ１を定位置に装着する充電台２は、カメラ１をしっかりと保持できると共に、簡単に定位置に装着できる特長がある。ただ、充電台は、必ずしも嵌入凹部やガイド凸部を設ける必要はない。以下に詳述する位置決ボス５とコネクター８でカメラ１を充電台２の定位置に装着することもできるからである。
【００１２】
充電台２は、嵌入凹部４の底に位置決ボス５を設けている。位置決ボス５は、カメラ１を三脚の雲台に装着するためにボディーに設けているネジ孔７に挿入される位置に配設される。ほとんどのカメラ１は、ボディーの底にネジ孔７を設けている。したがって、位置決ボス５は、嵌入凹部４の底から突出して設けられる。位置決ボス５は、プラスチック製のケース３に一体成形して設けられ、あるいは別パーツとして製作して、ケース３に固定される。
【００１３】
位置決ボス５は、ネジ孔７にスムーズに挿入するために、全体の形状を先細り状として、抜勾配を設けている。ただ、先細り状の位置決ボス５は、カメラ１をしっかりと正確な位置に保持するのが難しい。このため、位置決ボス５は、外周面に複数のガイド凸条６を縦方向に延長して設けている。ガイド凸条６は、図６に示すように、抜勾配を設けていない。抜勾配のない位置決ボス５は、ネジ孔７の内面に対向する外側面を、嵌入凹部４の底面に対して垂直とする。この位置決ボス５は、ネジ孔７に挿入されると、ガイド凸条６の外側面がネジ孔７の内面に当接する。ガイド凸条６は、位置決ボス５の先端まで延長して設けている。ガイド凸条６は、しっかりとカメラ１を固定できる。ただ、ガイド凸条は、位置決ボスの先端から多少低い位置まで延長して設けることもできる。
【００１４】
図の位置決ボス５は、２列のガイド凸条６を対向する位置に設けている。図１の位置決ボス５は、２列のガイド凸条６をコネクター８の長手方向に対して交差する方向に突出して設けている。この位置決ボス５は、図５において、矢印Ａで示す方向、すなわちコネクター８の横方向にカメラ１がずれるのを確実に阻止できる。細長いコネクター８は、一般的に縦方向のずれに強くて横方向のずれに弱い傾向がある。図の位置決ボス５は、コネクター８の横方向のずれを阻止するので、コネクター８の耐久性を向上できる。ただ、位置決ボスは、３列以上のガイド凸条を設けることもできる。
【００１５】
図の充電台２は、カメラ１の底面に設けている端子に連結されるコネクター８を設けている。コネクター８は、嵌入凹部４の底に固定している。この充電台２は、コネクター８と位置決ボス５の両方で、さらに、嵌入凹部４によってもカメラ１を充電台２の定位置に正確に装着できる。コネクター８は、カメラ１に内蔵される二次電池を充電する充電端子を有する。充電端子は、充電台２を構成しているケース３に内蔵される充電回路に接続される。充電端子がカメラ１の端子に接続されると、カメラ１の二次電池が充電される。カメラ１は、充電台２に装着して二次電池を充電できるように、ホディーの底に二次電池を充電するために端子を設けており、この端子を二次電池に接続している。
【００１６】
【発明の効果】
本発明のカメラの充電装置は、カメラを簡単かつ容易に、しかもスムーズに充電台に脱着できる特長がある。それは、本発明のカメラの充電装置が、カメラを脱着する充電台に、カメラを雲台に装着するネジ孔に挿入される位置決ボスを突出して設けており、この位置決ボスを独特の形状としているからである。本発明の充電装置は、位置決ボスの全体形状を先細り状に形成すると共に、外周面に複数のガイド凸条を縦方向に延長して設けて、ガイド凸条の外側面をネジ孔の内面に当接させるようにしている。先細り形状の位置決ボスは、カメラのネジ孔にスムーズに挿入して、カメラを充電台にスムーズに脱着できる。さらに、複数のガイド凸条を有する位置決ボスは、ガイド凸条の外側面がネジ孔の内面に当接するによって、カメラを正確な位置に位置決めできる。このように、本発明の充電装置は、カメラを充電台にスムーズに脱着することと、正確な位置に装着することを、極めて簡単な構造で同時に実現できる。
【図面の簡単な説明】
【図１】本発明の実施例のカメラの充電装置の充電台の平面図
【図２】図１に示す充電台の側面図
【図３】図１に示す充電台にカメラを装着した状態を示す正面図
【図４】図１に示す充電台のＡ−Ａ線断面であって、充電台にカメラを装着した状態を示す概略断面図
【図５】図１に示す充電台のＢ−Ｂ線断面であって、充電台にカメラを装着した状態を示す概略断面図
【図６】位置決めボスの平面図、正面図及び側面図
【符号の説明】
１…カメラ
２…充電台
３…ケース
４…嵌入凹部
５…位置決ボス
６…ガイド凸条
７…ネジ孔
８…コネクター
【図１】
0003568490.tif 000002
【図２】
0003568490.tif 000003
【図３】
0003568490.tif 000004
【図４】
0003568490.tif 000005
【図５】
0003568490.tif 000006
【図６】
0003568490.tif 000007